(57)【特許請求の範囲】
【請求項１】
外枠と、この外枠内に回転自在に軸支した回転ドラムと、この回転ドラム内の衣類を乾燥する熱風を加熱する熱源と、この熱源からの熱風を前記回転ドラム内へ供給する送風手段と、前記外枠の前面に開閉自在に配設した蓋体と、この蓋体に取り付けた磁石により動作する近接スイッチと、この近接スイッチにより回転ドラムを回転、停止させる制御手段とを備え、前記近接スイッチは、前記外枠に取り付けられ前記蓋体を係止する係止部の近傍に配設され、前記係止部には、前記近接スイッチの前方に設けた前記外枠の穴を覆うカバーが一体に形成された衣類乾燥機。
【請求項２】
回転ドラムを支持するドラム前板と、このドラム前板を外枠に固定する柱部とを備え、近接スイッチは、前記柱部に延設した溝部に収納され、かつ外枠に取り付けられ係止部と一体に形成されたカバーにて固定される構成とした請求項１記載の衣類乾燥機。
【請求項３】
近接スイッチは、溝部に一体に形成され先端に凸部を設けた弾性部材により固定される構成とした請求項２記載の衣類乾燥機。
【発明の詳細な説明】
【０００１】
【産業上の利用分野】
本発明は送風ファンにより回転ドラム内に熱風を供給して衣類を乾燥する衣類乾燥機に関するものである。
【０００２】
【従来の技術】
従来、この種の衣類乾燥機は図６および図７に示すように構成していた。以下、その構成について説明する。
【０００３】
図６に示すように、外枠１は、内部に回転ドラム２を回転自在に配設している。すなわち、回転ドラム２の前部の開口部をドラム前板３で支持し、後部を背板４に固定したシャフト５を介して軸受６にて支持している。この回転ドラム２の奥壁には衣類からでるリントが機外に放出しないようにフィルター７およびフィルターカバー８を着脱自在に装着している。
【０００４】
蓋体９は、回転ドラム２内へ衣類を投入する投入口を開閉するようにしている。回転ドラム２の後方に送風ファン（送風手段）１０を軸支し、モータ１１の回転をベルト１２、１３にて回転ドラム２および送風ファン１０に伝達し、バーナー（熱源）１４にて加熱された熱風を回転ドラム２内に送風するようにしている。
【０００５】
蓋体９には、図７に示すように、棒状の突起部１５を設けており、ドラム前板３を外枠１に固定する柱部１６にスイッチ部１７を設け、蓋体９を閉めることにより、突起部１５でスイッチ部１７を押し、蓋体９が閉められたことを検知し、逆に、蓋体９が開けられたときは、スイッチ部１７を押していた突起部１５が離れることにより、スイッチ部１７がオフされ、蓋体９が開けられたことを検知していた。
【０００６】
【発明が解決しようとする課題】
しかしながら、このような従来の構成では、蓋体９が開いていた場合、突起部１５が外観として現れる。このとき、衣類乾燥機の設置状態によって、突起部１５が使用者の目の位置に位置するなど、安全上の不都合があった。
【０００７】
また、突起部１５とスイッチ部１７が蓋体９の係止部より離れた位置に配設された場合、蓋体９が完全に閉まらない状態で回転ドラム２が回転したり、蓋体９が開いているのに回転ドラム２が回転しているといった不都合もあった。
【０００８】
本発明上記課題を解決するもので、外観上の安全性を図るとともに、蓋体の開閉角度がより小さい位置での蓋体の開閉検知ができるようにして安全性を向上させ、さらに部品点数を削減することを第１の目的としている。
【０００９】
また、上記第１の目的を達成するとともに、組立性を向上し、部品点数を削減することを第２の目的としている。
【００１０】
【課題を解決するための手段】
本発明は上記第１の目的を達成するために、外枠と、この外枠内に回転自在に軸支した回転ドラムと、この回転ドラム内の衣類を乾燥する熱風を加熱する熱源と、この熱源からの熱風を前記回転ドラム内へ供給する送風手段と、前記外枠の前面に開閉自在に配設した蓋体と、この蓋体に取り付けた磁石により動作する近接スイッチと、この近接スイッチにより回転ドラムを回転、停止させる制御手段とを備え、前記近接スイッチは、前記外枠に取り付けられ前記蓋体を係止する係止部の近傍に配設され、前記係止部には、前記近接スイッチの前方に設けた前記外枠の穴を覆うカバーが一体に形成されたことを第１の課題解決手段としている。
【００１１】
また、第１の目的を達成するために、上記第１の課題解決手段に加えて、回転ドラムを支持するドラム前板と、このドラム前板を外枠に固定する柱部とを備え、近接スイッチは、前記柱部に延設した溝部に収納され、かつ外枠に取り付けられ係止部と一体に形成されたカバーにて固定される構成としたことを第２の課題解決手段としている。
【００１２】
また、第２の目的を達成するために、上記第２の課題解決手段の近接スイッチは、溝部に一体に形成され先端に凸部を設けた弾性部材により固定される構成としたことを第３の課題解決手段としている。
【００１３】
【作用】
本発明は上記した第１の課題解決手段により、蓋体には近接スイッチを動作させる磁石を取り付けているだけであるので、蓋体を開けた状態でも外観に著しい突起部をなくすることができ、安全性を高めることができ、係止部の近傍に蓋体の開閉検知をする近接スイッチを配設することにより、精度の高い蓋体開閉検知が可能になり、近接スイッチのカバーと蓋体を係止する係止部を一体にすることにより、部品点数を削減することができる。
【００１４】
また、第２の課題解決手段により、近接スイッチをドラム前板を外枠に固定する柱部に延設した溝部に収納され、かつ外枠に取り付けられ係止部と一体に形成されたカバーにて固定される構成とすることにより、部品点数を削減することができる。
【００１５】
また、第３の課題解決手段により、近接スイッチをドラム前板を外枠に固定する柱部に延設した溝部に一体に形成され先端に凸部を設けた弾性部材により固定することにより、組立性を向上できるとともに、部品点数を削減することができる。
【００１６】
【実施例】
以下、本発明の一実施例を図１から図５を参照しながら説明する。なお、従来例と同じ構成のものは同一符号を付して説明を省略する。
【００１７】
図１に示すように、係止部１８は、外枠１に固着し、図３に示すように、蓋体１９に取り付けた握手２０の爪（図示せず）を係止して蓋体１９を係止するようにしている。この係止部１８の中心線上で、かつ係止部１８の略上部に近接スイッチ２１を配設し、蓋体１９の近接スイッチ２１に対応する位置に磁石２２を配設している。係止部１８に、図４に示すように、カバー２３を延設し、近接スイッチ２１の前面に外枠１に設けた穴２４を覆うようにしている。
【００１８】
柱部２５は、ドラム前板３を外枠１に固定するとともに、図５に示すように、溝部２６を延設し、この溝部２６に先端に凸部２７を設けた弾性部材２８を一体に形成している。近接スイッチ２１は、溝部２６に収納し弾性部材２８により固定するとともに、外枠１に取り付けた係止部１８より延設したカバー２３にて固定している。この近接スイッチ２１は、制御装置（制御手段）２９に接続し、蓋体１９の開閉に応じて、回転ドラム２を回転、停止させる。
【００１９】
上記構成において、衣類を回転ドラム２内に投入し、蓋体１９を閉めることにより、磁石２２により近接スイッチ２１が動作し、スタートスイッチ（図示せず）を押すことにより乾燥運転を開始する。回転ドラム２内に投入された被乾燥物は、回転ドラム２の回転により攪拌されながら、送風ファン１０によりバーナー８により加熱された熱風を回転ドラム２内に供給し、乾燥処理される。
【００２０】
運転途中で蓋体１９を開くと、近接スイッチ２１により蓋体１９が開いたことを検知し、制御装置２９により回転ドラム２を停止させるとともに、バーナー８の燃焼を停止する。このとき、蓋体１９の開き角度をより小さくした位置での蓋体１９の開閉検知が可能となり、また、蓋体１９には近接スイッチ２１を動作させる磁石２２を取り付けているだけであるので、図３の点線で示すように、蓋体１９を開けた状態でも外観に著しい突起部をなくすることができ、安全性を高めることができる。
【００２１】
また、係止部１８の近傍に蓋体１９の開閉検知をする近接スイッチ２１を配設することにより、精度の高い蓋体開閉検知が可能になり、さらに、近接スイッチ２１を係止部１８の略上部に配設することにより、より精度の高い蓋体開閉検知が可能になり、上部からの水、ほこりの付着を防止することができる。
【００２２】
【発明の効果】
以上のように本発明は、外枠と、この外枠内に回転自在に軸支した回転ドラムと、この回転ドラム内の衣類を乾燥する熱風を加熱する熱源と、この熱源からの熱風を前記回転ドラム内へ供給する送風手段と、前記外枠の前面に開閉自在に配設した蓋体と、この蓋体に取り付けた磁石により動作する近接スイッチと、この近接スイッチにより回転ドラムを回転、停止させる制御手段とを備え、前記近接スイッチは、前記外枠に取り付けられ前記蓋体を係止する係止部の近傍に配設され、前記係止部には、前記近接スイッチの前方に設けた前記外枠の穴を覆うカバーが一体に形成されたから、蓋体を開いた状態においても外観上不安全となるような形状のものをなくすることができ、近接スイッチを蓋体を係止する係止部近傍に位置させることにより、蓋体の開き角度をより小さくした位置での蓋体開閉検知が可能となり、回転ドラムの回転中に蓋体と外枠との隙間より回転物に触れられないようでき、安全性を向上することができ、また、近接スイッチのカバーと蓋体を係止する係止部を一体にすることにより、部品点数を削減することができる。
【００２３】
また、回転ドラムを支持するドラム前板と、このドラム前板を外枠に固定する柱部とを備え、近接スイッチは、前記柱部に延設した溝部に収納され、かつ外枠に取り付けられ係止部と一体に形成されたカバーにて固定される構成としたから、部品点数を削減することができる。
【００２４】
また、近接スイッチは、溝部に一体に形成され先端に凸部を設けた弾性部材により固定される構成としたから、組立が簡単になり、サービス性を向上することができる。
【図面の簡単な説明】
【図１】  本発明の一実施例の衣類乾燥機の蓋体の係止部で断面し一部切欠した断面図
【図２】  同衣類乾燥機の断面図
【図３】  同衣類乾燥機の斜視図
【図４】  同衣類乾燥機の蓋体の係止部の拡大斜視図
【図５】  同衣類乾燥機の要部断面図
【図６】  従来の衣類乾燥機の縦断面図
【図７】  同衣類乾燥機の蓋体の係止部で断面し一部切欠した断面図
【符号の説明】
１  外枠
２  回転ドラム
３  ドラム前板
１０  送風ファン（送風手段）
１４  バーナー（熱源）
１８  係止部
１９  蓋体
２１  近接スイッチ
２２  磁石
２９  制御装置（制御手段）
【図１】
0003674103.tif 000002
【図２】
0003674103.tif 000003
【図３】
0003674103.tif 000004
【図４】
0003674103.tif 000005
【図５】
0003674103.tif 000006
【図６】
0003674103.tif 000007
【図７】
0003674103.tif 000008